(57)【特許請求の範囲】
【請求項１】
インターフェース部と、機能カード特有の機能を持たせた機能部と、これらを関連付けて動作させるための回路部である周辺回路部とを有し、外部機器とインターフェース部を介して接続して、機能部を、信号を無線により授受するように機能させる機能カードを作製するためのカード部材であって、機能部を未だ配設せず、インターフェース部と周辺回路部とを配設したもので、機能部配設用の領域は、インターフェース部領域および周辺回路部領域から分けて設けられており、インターフェース部と周辺回路部とは、これに配設する目的の、ＲＦアナログ回路およびアンテナを設けた機能部品を含む、機能が異なる複数の所定の機能部品に対応できるように、共通化され、配設する機能部は、回路的に、インターフェース部と周辺回路部から独立したものであり、目的とする機能に合った前記機能部品を機能部配設用の領域に配設することにより、目的の機能を持つ機能部を備えた機能カードを形成するものであることを特徴とする機能カード用カード部材。
【請求項２】
請求項１に記載の機能カード用カード部材であって、インターフェース部はＵＳＢ（Ｕｎｉｖｅｒｓａｌ  Ｓｅｒｉａｌ  Ｂｕｓ）、メモリーカード、ＰＣカード（Ｐｅｒｓｏｎａｌ  Ｃｏｍｐｕｔｅｒカード）など規格化されているものや、他の汎用的なものに対応できるものであることを特徴とする機能カード用カード部材。
【請求項３】
請求項１ないし２のいずれか１項に記載の機能カード用カード部材であって、インターフェース部と周辺回路部が、ＳＤカード（Ｓｅｃｕｒｅ  Ｄｉｇｉｔａｌカード）規格に準拠するもので、周辺回路部に実質的にＳＤカードを実装したものであることを特徴とする機能カード用カード部材。
【請求項４】
インターフェース部と、機能カード特有の機能を持たせた機能部と、これらを関連付けて動作させるための回路部である周辺回路部（プラットフォーム）とを有し、外部機器とインターフェース部を介して接続して機能部を機能させる機能カードであって、請求項１ないし３のいずれか１項に記載の機能カード用カード部材を用い、この機能部配設用の領域に目的とする機能に合った機能部品を配設したものであることを特徴とする機能カード。
【発明の詳細な説明】
【０００１】
【発明の属する技術分野】
本発明は、機能カード用カード部材と機能カードに関し、特に、インターフェース部と、機能カード特有の機能を持たせた機能部と、これらを関連付けて動作させるための回路部である周辺回路部とを有し、外部機器とインターフェース部を介して接続して機能部を機能させる機能カードを作製するためのカード部材に関する。
【０００２】
【従来の技術】
近年、映像、音声、文字等の複数の情報メディアをコンピュータを駆使して新しい情報として対話的に提供する、マルチメディアは、全世界規模に進展し、その基幹網も整備されてきた。
特に日本では、インターネットにより、企業はもとより一般家庭への普及が加速し、情報のディジタル化が進んでいる。マルチメディアの核はパソコン等のコンピュータであるが、コンピュータ間でのデータのやりとりだけでなく、ＰＤＡ（Ｐｅｒｓｏｎａｌ  Ｄｉｇｉｔａｌ  Ａｓｓｉｓｔａｎｔｓの略で携帯情報端末のこと）等の機器を用いた形態も盛んになってき、機器間の垣根も取り払われ、映像、音声、文字は一体のものとなってきた。
そして、パソコン、移動体通信機器、ネットワーク機器、民生機器の進化を支え、更に使い易くするために、ＩＣ分野でもデジタル化技術（ＭＰＥＧデコーダ／エンコーダ、ＡＴＭＬＡＮ用ＬＳＩ等）、通信用のＭＭＩＣや低電圧のフラッシュメモリ等の開発が急ピッチで進められている。
【０００３】
マルチメディアが全世界規模に進展する中で、カードによる決裁、個人の認証、種々コンテンツの供給等にカードが広く使われるようになってきた。
ＩＣカードは、磁気カードにかわるメディアで、マイコンやメモリ等のＩＣを内蔵した名刺サイズのカードの総称であり、ＩＤカードとして広く使われている。
セキュリティー性が高い、メモリー容量が大きい、等の特徴を有する。
カード自身に暗号機能を有するものもある。
尚、マイコンを搭載し、演算機能、判断機能を有するカードをマイコンカードとも言う。
そして、マイコンカードの機能に、表示機能、マニュアル入力機能、磁気カードとの兼用機能等を加えた多機能カードがあらわれ、最近では、カード端末機と非接触で信号の交換や電源の供給を受ける形態の種々の非接触カードが出ている。
【０００４】
一方、種々の目的で、コンピュータに対し抜きさしを行なって使用するＰＣカード（Ｐｅｒｓｏｎａｌ  Ｃｏｍｐｕｔｅｒカード）は、半導体メモリーの容量増加と低価格化、多岐にわたるＩ／Ｏ機能の集積化が進み、大容量メモリを搭載したＩＣメモリーカード（フラッシュメモリー、ＤＲＡＭ、ＳＲＡＭ、等）およびＩ／Ｏカード（シリアル通信、パラレル通信等）が開発、商品化されている。
また、専用の規格に準拠したＳＤカード（Ｓｅｃｕｒｅ  Ｄｉｇｉｔａｌカード）も、ＳＤカード用のスロットを搭載したＰＤＡに使用されるようになってきた。
【０００５】
また、主に産業用途として、物流物品管理カード、書籍管理カード等として開発されてきた非接触ＩＣタグ搭載カードは、入退出管理カード、駐車場出入着管理カード等にも応用されている。
尚、非接触式のＩＣタグは、データを搭載したＩＣを、アンテナコイルと接続した、シート状ないし札状にしたもので、近年、種々提案され、商品や包装箱等に付け、万引き防止、物流システム等に利用されるようになってきた。
従来、この非接触ＩＣタグ搭載カードヘの情報の書き込み及び読み取りには、独立して機能をする専用機器である、高価なリーダ／ライターが必要とされ、携帯電話、ＰＤＡ、パソコン等の汎用情報機器端末を利用して、ＩＣタグ情報を読み出したり或いはＩＣタグに情報を書き込むことはできなかった。
【０００６】
このように、種々のカードが使用されるようになってきたが、従来は、所定目的の機能を持たせた機能カードは、各々の目的とする機能毎にその機能にあわせた周辺回路部（プラットフォームとも言う）を作らなければならなかった。
【０００７】
【発明が解決しようとする課題】
このように、マルチメディアの進展に伴い、種々のカードは、その目的に応じて使用されるようになり、それぞれ、各々の目的とする機能部とこれに対応した周辺回路部とを備えたものであった。
このため、従来、種々な機能のカードを製造する際には、種々な機能に合せ、機能毎にその機能に合せた周辺回路部を作製する必要があった。
本発明は、これに対応したもので、インターフェース部と、機能カード特有の機能を持たせた機能部と、これらを関連付けて動作させるための回路部である周辺回路部とを有し、外部機器とインターフェース部を介して接続して機能部を機能させる機能カードを作製するためのカード部材であって、これに配設する機能が異なる複数の所定の機能部品に対応できる機能カード用カード部材を提供しようとするものである。
同時に、このような機能カード用カード部材を用いた機能カードを提供しようとするものである。
【０００８】
【課題を解決するための手段】
本発明の機能カード用カード部材は、インターフェース部と、機能カード特有の機能を持たせた機能部と、これらを関連付けて動作させるための回路部である周辺回路部とを有し、外部機器とインターフェース部を介して接続して、機能部を、信号を無線により授受するように機能させる機能カードを作製するためのカード部材であって、機能部を未だ配設せず、インターフェース部と周辺回路部とを配設したもので、機能部配設用の領域は、インターフェース部領域および周辺回路部領域から分けて設けられており、インターフェース部と周辺回路部とは、これに配設する目的の、ＲＦアナログ回路およびアンテナを設けた機能部品を含む、機能が異なる複数の所定の機能部品に対応できるように、共通化され、配設する機能部は、回路的に、インターフェース部と周辺回路部から独立したものであり、目的とする機能に合った前記機能部品を機能部配設用の領域に配設することにより、目的の機能を持つ機能部を備えた機能カードを形成するものであることを特徴とするものである。
そして、上記の機能カード用カード部材であって、インターフェース部はＵＳＢ（Ｕｎｉｖｅｒｓａｌ  Ｓｅｒｉａｌ  Ｂｕｓ）、メモリーカード、ＰＣカード（Ｐｅｒｓｏｎａｌ  Ｃｏｍｐｕｔｅｒカード）など規格化されているものや、他の汎用的なものに対応できるものであることを特徴とするものである。
また、上記いずれかの機能カード用カード部材であって、インターフェース部と周辺回路部が、ＳＤカード（Ｓｅｃｕｒｅ  Ｄｉｇｉｔａｌカード）規格に準拠するもので、周辺回路部に実質的にＳＤカードを実装したものであることを特徴とするものである。
ここで、「周辺回路部にＳＤカード（Ｓｅｃｕｒｅ  Ｄｉｇｉｔａｌカード）を実質的に実装する」とは、周辺回路部としてＳＤカードと実質的に同じ回路を形成しているという意味である。
また、外部機器とは、汎用端末（汎用情報端末ないし汎用情報端末機器とも言う）等、機能カードに接続する機器で、特に限定はされない。
【０００９】
尚、ＳＤカードは１９９９年にＳａｎＤｉｓｋ社、松下電器産業、東芝の３社が共同開発したメモリーカードの規格で、音楽のオンライン配信に適した著作権保護機能を内蔵しており、携帯音楽機能の記憶装置としての需要を見込んでいる。
著作権保護機能はＳＤＭＩ（Ｓｅｃｕｒｅ  Ｄｉｇｉｔａｌ  Ｍｕｓｉｃ  Ｉｎｉｔｉａｔｉｖｅ）規格に適合したもので、端末（デバイス）とカードの間でコンテンツを安全に交換することができ、ＳＤＭＩの将来のバージョンにも対応可能となっている。
３２ＭＢ、６４ＭＢあるいはそれ以上の容量で、データ量の多いアプリケーションを充分にサポートできる。
【００１０】
本発明の機能カードは、インターフェース部と、機能カード特有の機能を持たせた機能部と、これらを関連付けて動作させるための回路部である周辺回路部（プラットフォーム）とを有し、外部機器とインターフェース部を介して接続して機能部を機能させる機能カードであって、上記いずれかの機能カード用カード部材を用い、この機能部配設用の領域に目的とする機能に合った機能部品を配設したものであることを特徴とするものである。
【００１１】
【作用】
本発明の機能カード用カード部材は、このような構成にすることにより、インターフェース部と、機能カード特有の機能を持たせた機能部と、これらを関連付けて動作させるための回路部である周辺回路部とを有し、外部機器とインターフェース部を介して接続して機能部を機能させる機能カードを作製するためのカード部材で、これに配設する目的の、機能が異なる複数の所定の機能部品に対応できる機能カード用カード部材の提供を可能としている。
即ち、機能部を配設せず、インターフェース部と周辺回路部とを配設したもので、カード基材には、機能部配設用の領域を、インターフェース部領域および周辺回路部領域から分けて設けられており、インターフェース部と周辺回路部とは、これに配設する目的の、ＲＦアナログ回路およびアンテナを設けた機能部品を含む機能が異なる複数の所定の機能部品に対応できるように、共通化され、配設する機能部は、回路的に、インターフェース部と周辺回路部から独立したものであることにより、種々な機能のカードを製造する際に、種々な機能に合せ、機能毎にその機能に合せた周辺回路部を作製する必要がなく、目的とする機能に合った機能部品を機能部配設用の領域に配設することにより、目的の機能を持つ機能部を備えた機能カードを形成することを可能とし、これを達成している。
また、インターフェース部を、ＵＳＢ（Ｕｎｉｖｅｒｓａｌ  Ｓｅｒｉａｌ  Ｂｕｓ）、メモリーカード、ＰＣカード（Ｐｅｒｓｏｎａｌ  Ｃｏｍｐｕｔｅｒカード）など規格化されているものや、他の汎用的なものに対応できるものとすることにより、汎用の各種情報機器端末（汎用端末ないし単に端末とも言う）に対応できる。
また、インターフェース部と周辺回路部が、ＳＤカード（Ｓｅｃｕｒｅ  Ｄｉｇｉｔａｌカード）規格を準拠するもので、周辺回路部にＳＤカード（Ｓｅｃｕｒｅ  Ｄｉｇｉｔａｌカード）を実質的に実装したものであることにより、専用の規格に準拠したＳＤカード用汎用端末（例えば、ＳＤカード用のスロットを搭載したＰＤＡ等）にも使用できる機能カードを容易に作製できるものとしている。
【００１２】
本発明の機能カード用カード部材は、機能部を形成する機能部品のみを交換するだけで、異なる機能を有する機能カードを形成できるものとしており、機能部をインターフェース部と周辺回路部とから独立させることで、新規機能を有する機能部品の開発が容易となり、インターフェース部と周辺回路部とが、目的とする機能が異なる複数の所定の機能部品に対応できる共通部としていることより、開発コストの低減、開発時間の削減が見込める。
【００１３】
本発明の機能カードは、このような構成にすることにより、目的とする機能部に合せたインターフェース部と周辺回路部を、その作製の都度用意する必要はなく、簡単にその作製を可能とするものである。
【００１４】
そして、本発明の機能カードは、汎用端未の備える機能（表示装置、スピーカー、プリンター）、外部送信機能（電話、ＬＡＮ、Ｉｎｔｅｒｎｅｔ網との接続）と組み合わせて新しい応用の展開がおおいに期待できるもので、機能部のみを替えることにより別の機能をもたせることができ、汎用性の面で優れている。
【００１５】
インターフェース部としては、ＵＳＢ（Ｕｎｉｖｅｒｓａｌ  Ｓｅｒｉａｌ  Ｂｕｓ）、メモリーカード、ＰＣカード（Ｐｅｒｓｏｎａｌ  Ｃｏｍｐｕｔｅｒカード）など規格化されているものや、他の汎用的なものに対応でき、汎用性が高い。
【００１６】
例えば、周辺回路部をＵＳＢ規格に準拠するものとし、機能部品としてＩＣタグリーダ／ライタを実装したもの、あるいは、インターフェース部と周辺回路部が、ＳＤカード（Ｓｅｃｕｒｅ  Ｄｉｇｉｔａｌカード）規格を準拠するものとし、周辺回路部にＳＤカード（Ｓｅｃｕｒｅ  Ｄｉｇｉｔａｌカード）を実質的に実装し、さらに機能部品としてＩＣタグリーダ／ライタを実装したものが挙げられる。
機能部としてＩＣタグ用リーダ／ライタを搭載した機能カードを、汎用情報機器端末（単に汎用端末とも言う）に接続して使用する場合には、ＩＣタグ用リーダ／ライタ機能カードに内蔵されたアンチナ及び送受信部と、汎用端末に内蔵されたＣＰＵ及び電源とを組み合わせて、在来のリーダ／ライターと同様な読み取り／書き込み機能を果たすリーダ／ライタ機能部を構成することができるのみならず、汎用端未の備える機能（表示装置、スピーカー、プリンター）、外部送信機能（電話、ＬＡＮ、Ｉｎｔｅｒｎｅｔ網との接続）と組み合わせて新しい応用を展開することができる。
また、このＩＣタグ用リーダ／ライタ機能を搭載した機能カードは、カード形態を取るので携帯に便利であり、携帯電話、ＰＤＡと共に携帯して、何時、どの場所においても、ＩＣタグ情報を携帯電話やＰＤＡに採取することができる。
それ故、例えば、ポスターに宣伝中の製品に関する情報を記録したＩＣタグ搭載機能カードから顧客がＩＣタグ情報を採取する等のこれまでにないＩＣタグ情報の活用方法をとることができる。
このＩＣタグ用リーダ／ライタを搭載した機能カードはメモリカード、ＩＤカード等としての活用のみならず、この機能カードにゲームソフトを搭載することにより、且つ従来の紙製ゲームカードに代えてＩＣタグ搭載カードを用いることにより汎用端末をゲーム機器として活用することもできる。
【００１７】
【発明の実施の形態】
本発明の実施の形態例を挙げ、図に基づいて説明する。
図１（ａ）は本発明の機能カード用のカード部材の実施の形態の第１の例の図で、図１（ｂ）は本発明の機能カードの実施の形態の第１の例の図で、図２（ａ）は本発明の機能カード用のカード部材の実施の形態の第２の例の図で、図２（ｂ）は本発明の機能カードの実施の形態の第２の例の図で、図３は本発明の機能カードを汎用端末に差し込んで使用する状態を模式的的に示した図である。
図１、図２、図３中、１１０は機能カード用カード部材、１１０Ａは機能カード、１１１はインターフェース部、１１１ａはインターフェース部領域、１１２は周辺回路部（プラットフォーム）、１１２ａは周辺回路エリア、１１３は機能部（機能部品でもある）、１１３ａは機能部エリア（機能部配設用の領域とも言う）、１２０は汎用端末、１２１はＩ／Ｆ回路部（インターフェース回路部）、１２２は周辺回路部、１２３はプロセッサ、１２４はドライバ、１２５はＯＳ、１２６はソフトウエアである。
【００１８】
先ず、本発明の機能カード用のカード部材の実施の形態の第１の例を図１（ａ）に基づいて説明する。
第１の例の機能カード用のカード部材は、インターフェース部と、機能カード特有の機能を持たせた機能部と、これらを関連付けて動作させるための回路部である周辺回路部とを有し、外部機器とインターフェース部を介して接続して機能部を機能させる機能カードを作製するための、カード部材であって、機能部を未だ配設せず、インターフェース部１１１と周辺回路部１１２とを配設したもので、機能部配設用の領域を、インターフェース部領域１１１ａおよび周辺回路部領域１１２ａから分けて設けられており、インターフェース部１１１と周辺回路部１１２とは、これに配設する目的の、機能が異なる複数の所定の機能部品に対応できるように、共通化され、配設する機能部は、回路的に、インターフェース部と周辺回路部から独立したものであり、且つ、周辺回路エリア１１２ａにＳＤカードを実質的に搭載し、周辺回路部１１２を形成したものである。
そして、目的とする機能に合った前記機能部品を機能部配設用の領域１１３ａに配設することにより、目的の機能を持つ機能部を備えた機能カードを形成するためのものである。
即ち、第１の例の機能カード用のカード部材は、ＳＤカード規格に準拠した汎用端末に対応できる機能カードを作製するためのカード部材で、種々の機能部の搭載に対応できるカード部材である。
【００１９】
周辺回路部１１２は、ＳＤカードの規格に準拠したもので、ＦＰＧＡ（Ｆｉｅｌｄ  Ｐｒｏｇｒａｍｍａｂｌｅ  Ｇａｔｅ  Ａｒｒａｙ）、ＭＰＵ（Ｍｉｃｒｏ  Ｐｒｏｃｅｓｓｅｒ  Ｕｎｉｔ）、ＲＡＭ（Ｒａｎｄｏｍ  Ａｃｃｅｓｓ  Ｍｅｍｏｒｙ）、ＥＥＰＲＯＭ（Ｅｌｅｃｔｒｉｃａｌ  Ｅｒａｓａｂｌｅ  Ｐｒｏｇｒａｍｍａｂｌｅ  ＲＯＭ）等からなり、実質的にＳＤカードを搭載したものである。
周辺回路部１１２は、このような構成で、機能部を搭載した際に、その機能の処理に合せ、ソフト的にこれに対応でき、各種機能部の処理に対応できる。
勿論、インターフェース部１１１もＳＤカード規格に準拠したものである。
【００２０】
機能エリア１１３ａは、目的とする機能に合せて形成された各種機能部品１１３を搭載するためのもので、前述の通り、各種機能部品１１３に対応できるように、インターフェース部１１１、周辺回路部１１２は形成されている。
信号を無線により授受する場合には、機能部品１１３としてＲＦアナログ回路（送受信回路を含む）、アンテナを設ければ良く、機能部品１１３として指紋の認証用のＣＣＤセンサ等を取り付けることもできる。
センサ部はこれに限定はされない。
【００２１】
次いで、本発明の機能カード用のカード部材の実施の形態の第２の例を図２（ａ）に基づいて説明する。
第２の例の機能カード用のカード部材も、第１の例の場合と同様、インターフェース部と、機能カード特有の機能を持たせた機能部と、これらを関連付けて動作させるための回路部である周辺回路部とを有し、外部機器とインターフェース部を介して接続して機能部を機能させる機能カード用を作製するための、カード部材であって、機能部を未だ配設せず、インターフェース部１１１と周辺回路部１１２とを配設したもので、機能部配設用の領域を、インターフェース部領域１１１ａおよび周辺回路部領域１１２ａから分けて設けられており、インターフェース部１１１と周辺回路部１１２とは、これに配設する目的の、機能が異なる複数の所定の機能部品に対応できるように、共通化され、配設する機能部は、回路的に、インターフェース部と周辺回路部から独立したものであるが、第２の例の場合は、周辺回路エリア１１２ａにＵＳＢ基板とＦＰＧＡ基板を搭載して周辺回路部１１２を形成したものである。
そして、目的とする機能に合った前記機能部品を機能部配設用の領域１１３ａに配設することにより、目的の機能を持つ機能部を備えた機能カードを形成するためのものである。
即ち、第１の例の機能カード用のカード部材は、ＵＳＢ規格に準拠した汎用端末に対応できる機能カードを作製するためのカード部材で、種々の機能部の搭載に対応できるカード部材である。
【００２２】
周辺回路部１１２には、ＦＰＧＡ基板が搭載されており、機能部を搭載した際に、その機能の処理に合せ、ソフト的にこれに対応でき、各種機能部の処理に対応できる。
勿論、インターフェース部１１１もＵＳＢ規格に準拠したものである。
【００２３】
本例の場合も、機能エリア１１３ａは、目的とする機能に合せて形成された各種機能部品１１３を搭載するためのもので、前述の通り、各種機能部品１１３に対応できるように、インターフェース部１１１、周辺回路部１１２は形成されている。
信号を無線により授受する場合には、機能部品１１３としてＲＦアナログ回路（送受信回路を含む）、アンテナを設ければ良く、機能部品１１３として指紋の認証用のＣＣＤセンサ等を取り付けることもできる。
センサ部はこれに限定はされない。
【００２４】
第１の例の機能カード用カード部材、第２の例の機能カード用カード部材の変形例としては、ＵＳＢ規格のカードやＳＤカード規格以外の別の規格に準拠した、インターフェース部１１１、周辺回路部１１２を用いたものもが挙げれる。
また、特に、各カード規格に準拠した外形（カードサイズ等）に合せても良い。
【００２５】
次に、本発明の機能カードの実施の形態の第１の例を図１（ｂ）に基づいて説明する。  第１の例の機能カードは、図１（ａ）に示す第１の例の機能カード用カード部材に、ＲＦ基板からなる機能部１１３を搭載したもので、インターフェース部１１１と、機能カード特有の機能を持たせた機能部１１３と、これらを関連付けて動作させるための回路部である周辺回路部１１２とを有し、ＳＤカード規格に準拠した汎用端末とインターフェース部１１１を介して接続して機能部１１３を機能させる機能カードである。
機能部１１３であるＲＦ基板は、ＲＦアンテナ回路（送受信回路）、アンテナを備えたＩＣタグ用のリーダ／ライタを形成するものである。
周辺回路部１１２、インターフェース部１１１については、図１（ａ）に示す第１の例の機能カード用カード部材にて、説明したのでここでは、説明を省く。
本例の機能カードは、ＳＤカードの特性をそのまま利用し、更に目的とするＩＣタグ用リーダ／ライタとしての機能を機能部にて行なうことができるものである。
そして、本例の機能カードは、目的とするＩＣタグ用リーダ／ライタとしての機能に加え、汎用端未の備える機能（例えば、表示装置の表示機能、スピーカー機能、プリンターのプリント機能）や、電話、ＬＡＮ、Ｉｎｔｅｒｎｅｔ網との接続により得る外部送信機能とを組み合わせて使用でき、新しい応用を展開が期待できる。
【００２６】
本例の機能カード（以下、ＩＣタグ用リーダ／ライタ機能カードとも言う）は、ＰＣ（Ｐｅｒｓｏｎａｌ  Ｃｏｍｐｕｔｅｒ）、携帯電話、ＰＤＡ等の汎用端末を介して、ＩＣタグからの情報の取得や、ＩＣタグあるいはＩＣタグ搭載カードへの情報の書込みを可能とし、結局、ＩＣタグあるいはＩＣタグ搭載カードとの交信を可能とするものである。
ＰＣ（Ｐｅｒｓｏｎａｌ  Ｃｏｍｐｕｔｅｒ）、携帯電話、ＰＤＡ等の汎用端末に接続された状態で、ＩＣタグ用リーダ／ライタ機能カードに内蔵されたアンテナ及び送受信部（ＲＦアナログ回路とも言う）と、汎用端末に内蔵されたＣＰＵ及び電源と組み合わせてリーダ／ライタ機能部が構成される。
ＩＣタグはアンテナ、送受信部及びメモリを少なくとも備え、必要に応じて制御部も備えられる。
ＩＣタグにおいては、常に電力は必要とはせず、情報の読み書きの際にだけＩＣタグ用リーダ／ライタ機能カードからの電力供給で賄うことができるが、場合によっては、ＩＣタグに電源を内蔵させることもある。
【００２７】
本例のように、ＭＰＵ（ＣＰＵと言う場合もある）及びメモリも備えている場合、このＩＣタグ用リーダ／ライタ機能カードにゲームソフトを搭載し、さらにこのゲームソフトを搭載したＩＣタグ用リーダ／ライタ機能カードを汎用機器端末に接続することにより、汎用器端末をゲーム機器に変えることができる。
【００２８】
次に、本発明の機能カードの実施の形態の第２の例を図２（ｂ）に基づいて説明する。  第２の例の機能カードは、図２（ａ）に示す第２の例の機能カード用カード部材に、ＲＦ基板からなる機能部１１３を搭載したもので、インターフェース部１１１と、機能カード特有の機能を持たせた機能部１１３と、これらを関連付けて動作させるための回路部である周辺回路部１１２とを有し、ＵＳＢ規格に準拠した汎用端末とインターフェース部１１１を介して接続して機能部１１３を機能させる機能カードである。
機能部１１３であるＲＦ基板は、第１の例の機能カードと同様、ＲＦアンテナ回路（送受信回路）、アンテナを備えたＩＣタグ用のリーダ／ライタを形成するものである。
周辺回路部１１２、インターフェース部１１１については、図２（ａ）に示す第２の例の機能カード用カード部材にて、説明したのでここでは、説明を省く。
本例の機能カードは、ＵＳＢ規格に準拠したカードで、目的とするＩＣタグ用リーダ／ライタとしての機能を機能部にて行なうことができるものである。
そしてまた、本例の機能カードは、ＵＳＢ規格に準拠した汎用端末に接続することだけが、第１の例の機能カードとは異なるが、基本的に第１の例の機能カードと同様、本例の機能カードは、目的とするＩＣタグ用リーダ／ライタとしての機能に加え、汎用端未の備える機能（表示装置、スピーカー、プリンター）、外部送信機能（電話、ＬＡＮ、Ｉｎｔｅｒｎｅｔ網との接続）を組み合わせて使用でき、新しい応用を展開が期待できる。
【００２９】
第１の例の機能カード、第２の例の機能カードの変形例としては、それぞれ、ＲＦ基板からなるＩＣタグ用リーダ／ライタとしての機能部に替え、種々の目的に応じてこれとは別の機能を果たすための機能部を形成したものが挙げられ、ＲＦ基板からなるＩＣタグ用リーダ／ライタとしての機能部に限定はされない。
また、機能部に異なる２つ以上の機能部品を搭載したものも変形例として挙げることができる。
更に、ＵＳＢ規格のカードやＳＤカード規格以外の別の規格に準拠した、インターフェース部１１１、周辺回路部１１２を用いたものも挙げられる。
また、特に、各カード規格に準拠した外形（カードサイズ等）に合せても良い。
【００３０】
第１の例、第２の例の機能カードを汎用端末との接続は、模式的に図３に示すように、機能カード１１０Ａのインターフェース部１１１の一部を汎用端末１２０のスロット部（差し込み部）１２８に差し込み行なう。
そして、機能カード１１０と汎用端末との間で、信号をやり取りし、互いに情報の授受を行なう。
汎用端末１２０としては、ＰＣ（Ｐｅｒｓｏｎａｌ  Ｃｏｍｐｕｔｅｒ）、携帯電話、ＰＤＡ等が挙げられるが、これらに限定されない。
【００３１】
【発明の効果】
本発明は、上記のように、インターフェース部と、機能カード特有の機能を持たせた機能部と、これらを関連付けて動作させるための回路部である周辺回路部とを有し、外部機器とインターフェース部を介して接続して機能部を機能させる機能カードを作製するためのカード部材であって、これに配設する機能が異なる複数の所定の機能部品に対応できる機能カード用カード部材の提供を可能とした。
同時に、このような機能カード用カード部材を用いた機能カードの提供を可能とした。
【図面の簡単な説明】
【図１】図１（ａ）は本発明の機能カード用のカード部材の実施の形態の第１の例の図で、図１（ｂ）は本発明の機能カードの実施の形態の第１の例の図である。
【図２】図２（ａ）は本発明の機能カード用のカード部材の実施の形態の第２の例の図で、図２（ｂ）は本発明の機能カードの実施の形態の第２の例の図である。
【図３】本発明の機能カードを汎用端末に差し込んで使用する状態を模式的的に示した図
【符号の説明】
１１０          機能カード用カード部材
１１０Ａ        機能カード
１１１          インターフェース部
１１１ａ        インターフェース部領域
１１２          周辺回路部（プラットフォーム）
１１２ａ        周辺回路エリア
１１３          機能部（機能部品でもある）
１１３ａ        機能部エリア（機能部配設用の領域とも言う）
１２０          汎用端末
１２１          Ｉ／Ｆ回路部（インターフェース回路部）
１２２          周辺回路部
１２３          プロセッサ
１２４          ドライバ
１２５          ＯＳ
１２６          ソフトウエア
【図１】
0004736224.tif 000002
【図２】
0004736224.tif 000003
【図３】
0004736224.tif 000004